(57)【要約】【課題】キャップの外径を大きくすることなく、簡便な構造により容易にキャップを開栓することが可能な、キャップ本体およびキャップを提供する。【解決手段】キャップ本体２０は、天板３０と、天板３０の外周縁３０ｅから下方に延び、キャッピング用のローレットＫ１が形成された筒状体４０とを有する本体部５０と、本体部５０の筒状体４０の外面に設けられた開栓用把持部６０とを備えている。開栓用把持部６０は、平面視において多角形状を有する。【選択図】図１
2020079105.tif 000002
【特許請求の範囲】
【請求項１】
天板と、前記天板の外周縁から下方に延び、キャッピング用のローレットが形成された筒状体とを有する本体部と、
前記本体部の前記筒状体の外面に設けられた開栓用把持部とを備え、
前記開栓用把持部は、平面視において多角形状を有する、キャップ本体。
【請求項２】
前記開栓用把持部は、エラストマー樹脂を含む、請求項１に記載のキャップ本体。
【請求項３】
前記筒状体は、前記天板の下方に配置された小径部と、前記小径部の下方に配置された大径部とを含み、前記開栓用把持部は、前記大径部に設けられている、請求項１または２に記載のキャップ本体。
【請求項４】
前記小径部に設けられ、円周方向に沿って互いに離間して配置された複数の把持部形成用補助部を更に備え、前記複数の把持部形成用補助部は、それぞれ前記開栓用把持部に接続されている、請求項３に記載のキャップ本体。
【請求項５】
前記把持部形成用補助部は、エラストマー樹脂を含む、請求項４に記載のキャップ本体。
【請求項６】
前記キャップ本体は、前記天板に設けられ、前記天板の中心から放射状に延びる複数の放射状部を更に備え、前記複数の放射状部は、それぞれ対応する前記把持部形成用補助部に接続されている、請求項４または５に記載のキャップ本体。
【請求項７】
前記放射状部は、エラストマー樹脂を含む、請求項６に記載のキャップ本体。
【請求項８】
前記開栓用把持部、前記把持部形成用補助部および前記放射状部は、互いに同一の材料からなる、請求項６または７に記載のキャップ本体。
【請求項９】
請求項１乃至８のいずれか一項に記載のキャップ本体と、
前記キャップ本体の前記筒状体に連結されたピルファープルーフバンドとを備える、キャップ。
【発明の詳細な説明】
【技術分野】
【０００１】
本発明は、キャップ本体およびキャップに関する。
【背景技術】
【０００２】
従来から、飲料用の容器に用いられるキャップとして、円筒形状のキャップが用いられている。このようなキャップでは、キャップ開栓時のグリップ性を向上させるために、キャップの外径を大きくし、キャップを握りやすくするなど、様々な工夫がなされている。キャップ開栓時のグリップ性を向上させるための手段として、例えば、キャップの外周面に開栓用すべり止めが設けられたキャップが提案されている（例えば、特許文献１）。特許文献１に示すキャップでは、その表面に凹部が設けられた開栓用すべり止めが設けられている。
【先行技術文献】
【特許文献】
【０００３】
【特許文献１】特開２００４−１９６３８３号公報
【発明の概要】
【発明が解決しようとする課題】
【０００４】
しかしながら、特許文献１に示すキャップでは、開栓用すべり止めの表面に凹部を設ける必要があり、生産性が低下するといった問題がある。また、内容物にゼリー飲料等が充填されるスパウト付き容器においては、外径の小さいキャップが望まれており、キャップの外径が小さい場合、外周面にすべり止めを設けただけでは、開栓時に指が滑りやすいといった問題がある。
【０００５】
本発明はこのような点を考慮してなされたものであり、キャップの外径を大きくすることなく、簡便な構造により容易にキャップを開栓することが可能な、キャップ本体およびキャップを提供することを目的とする。
【課題を解決するための手段】
【０００６】
本発明は、天板と、前記天板の外周縁から下方に延び、キャッピング用のローレットが形成された筒状体とを有する本体部と、前記本体部の前記筒状体の外面に設けられた開栓用把持部とを備え、前記開栓用把持部は、平面視において多角形状を有する、キャップ本体である。
【０００７】
本発明は、前記開栓用把持部は、エラストマー樹脂を含む、キャップ本体である。
【０００８】
本発明は、前記筒状体は、前記天板の下方に配置された小径部と、前記小径部の下方に配置された大径部とを含み、前記開栓用把持部は、前記大径部に設けられている、キャップ本体である。
【０００９】
本発明は、前記小径部に設けられ、円周方向に沿って互いに離間して配置された複数の把持部形成用補助部を更に備え、前記複数の把持部形成用補助部は、それぞれ前記開栓用把持部に接続されている、キャップ本体である。
【００１０】
本発明は、前記把持部形成用補助部は、エラストマー樹脂を含む、キャップ本体である。
【００１１】
本発明は、前記キャップ本体は、前記天板に設けられ、前記天板の中心から放射状に延びる複数の放射状部を更に備え、前記複数の放射状部は、それぞれ対応する前記把持部形成用補助部に接続されている、キャップ本体である。
【００１２】
本発明は、前記放射状部は、エラストマー樹脂を含む、キャップ本体である。
【００１３】
本発明は、前記開栓用把持部、前記把持部形成用補助部および前記放射状部は、互いに同一の材料からなる、キャップ本体である。
【００１４】
本発明は、本発明によるキャップ本体と、前記キャップ本体の前記筒状体に連結されたピルファープルーフバンドとを備える、キャップである。
【発明の効果】
【００１５】
本発明によれば、キャップの外径を大きくすることなく、簡便な構造により容易にキャップを開栓することができる。
【図面の簡単な説明】
【００１６】
【図１】図１は、本発明の一実施の形態によるキャップを示す斜視図である。
【図２】図２は、本発明の一実施の形態によるキャップを示す分解斜視図である。
【図３】図３は、本発明の一実施の形態によるキャップを示す平面図である。
【図４Ａ】図４Ａは、本発明の一実施の形態によるキャップを示す断面図（図３のIVA-IVA線断面図）である。
【図４Ｂ】図４Ｂは、本発明の一実施の形態によるキャップを示す断面図（図３のIVB-IVB線断面図）である。
【図５Ａ】図５Ａは本発明の一実施の形態によるキャップを作製するための第１金型を示す断面図である。
【図５Ｂ】図５Ｂは本発明の一実施の形態によるキャップを作製するための第２金型を示す断面図である。
【図６Ａ】図６Ａ（ａ）−（ｂ）は、本発明の一実施の形態によるキャップの製造方法を示す断面図である。
【図６Ｂ】図６Ｂ（ａ）−（ｂ）は、本発明の一実施の形態によるキャップの製造方法を示す断面図である。
【図７Ａ】図７Ａ（ａ）−（ｂ）は、本発明の一実施の形態によるキャップの製造方法を示す断面図である。
【図７Ｂ】図７Ｂ（ａ）−（ｂ）は、本発明の一実施の形態によるキャップの製造方法を示す断面図である。
【図７Ｃ】図７Ｃ（ａ）−（ｂ）は、本発明の一実施の形態によるキャップの製造方法を示す断面図である。
【発明を実施するための形態】
【００１７】
以下、図面を参照して本発明の一実施の形態について説明する。図１乃至図７Ｃは本発明の一実施の形態を示す図である。
【００１８】
まず、図１及び図２により、本実施の形態によるキャップの概要について説明する。本実施の形態によるキャップは、例えばスパウト付き容器や、ＰＥＴボトル等の容器を閉栓する際に好適に使用することができる。なお、本明細書中、「上」および「下」とは、それぞれキャップ１０を正立させた状態（図４Ａ及び図４Ｂ）における上方および下方のことをいう。
【００１９】
図１及び図２に示すように、キャップ１０は、キャップ本体２０と、キャップ本体２０の後述する筒状体４０に連結されたピルファープルーフバンド７０とを備えている。ここでは、まず、キャップ本体２０について説明する。
【００２０】
キャップ本体
図１乃至図４Ｂに示すように、キャップ本体２０は、天板３０と、天板３０の外周縁３０ｅから下方に延び、キャッピング用のローレットＫ１が形成された筒状体４０とを有する本体部５０と、本体部５０の筒状体４０の外面に設けられた開栓用把持部６０とを備えている。また、キャップ本体２０は、本体部５０の筒状体４０の後述する小径部４１に設けられ、円周方向に沿って互いに離間して配置された複数の把持部形成用補助部６１を更に備えている。さらに、キャップ本体２０は、本体部５０の天板３０に設けられ、天板３０の中心から放射状に延びる複数の放射状部６２を更に備えている。
【００２１】
本体部５０の天板３０は、円盤状に形成されており、天板３０には、天板３０の中心から放射状に延びる複数の放射状部用溝３１が形成されている。この放射状部用溝３１は、後述する放射状部６２が射出成形により形成される際に、射出樹脂の流路としての役割を果たす。図１乃至図３に示すように、本実施の形態では、天板３０には６つの放射状部用溝３１が形成されている。また、図３に示すように、各々の放射状部用溝３１は、平面視において約６０°ずつ等配となるように配置されている。６本の放射状部用溝３１は、天板３０の中心に位置する中央部３０ｃで互いに連結されている。また、図１乃至図３に示すように、複数の放射状部用溝３１は、それぞれ対応する、後述する補助部用溝４３に接続されている。これにより、開栓用把持部６０を形成する際に、放射状部用溝３１を通過した射出樹脂が、後述する補助部用溝４３に供給されるように構成されている。このため、開栓用把持部６０を形成する際に、把持部形成用補助部６１を容易に形成することができるようになっている。なお、放射状部用溝３１の個数は、形成する放射状部６２の個数に基づいて任意に変更することができる。
【００２２】
また、図４Ａ及び図４Ｂに示すように、天板３０の内面のうち、略中央部には下方に突出した栓部３２が設けられている。また、栓部３２の先端部には環状アンダーカット３３が設けられ、環状アンダーカット３３が、図示しない容器の口部に嵌合するように構成されている。
【００２３】
本体部５０の筒状体４０は、図１乃至図３に示すように、天板３０の下方に配置された小径部４１と、小径部４１の下方に配置された大径部４２とを有している。このうち小径部４１は、筒状体４０の略上半分の領域に配置されている。一方、大径部４２は、筒状体４０の略下半分の位置に配置されている。小径部４１および大径部４２は、それぞれ全体として略均一な径をもつ円筒形状を有しており、大径部４２は、小径部４１よりも径が大きくなっている。なお、小径部４１および大径部４２は、六角形筒形状や八角形筒形状等の多角形筒形状を有していても良い。この場合、小径部４１および大径部４２が互いに異なる筒形状を有していても良い。
【００２４】
このうち、小径部４１には、上述したローレットＫ１が複数形成されている。また、小径部４１には、円周方向に沿って互いに離間して配置された複数の補助部用溝４３が形成されている。この補助部用溝４３は、後述する把持部形成用補助部６１が射出成形により形成される際に、射出樹脂の流路としての役割を果たす。図３に示すように、本実施の形態では、小径部４１には６つの補助部用溝４３が形成されている。各々の補助部用溝４３は、平面視において約６０°ずつ等配となるように配置されている。また、図１及び図２に示すように、補助部用溝４３は、上下方向に沿って延びている。上述したように、これらの複数の補助部用溝４３の上端は、それぞれ対応する、天板３０に設けられた放射状部用溝３１に接続されている。また、複数の補助部用溝４３の下端は、それぞれ対応する、後述する把持部用溝４４に接続されている。これにより、開栓用把持部６０を形成する際に、補助部用溝４３を通過した射出樹脂が、後述する把持部用溝４４に供給されるように構成されている。このため、開栓用把持部６０を容易に形成することができるようになっている。なお、上述したローレットＫ１は、円周方向に隣接する補助部用溝４３の間に配置されており、ローレットＫ１は、円周方向に隣接する補助部用溝４３の間に５本ずつ、合計３０本設けられている。
【００２５】
また、筒状体４０の大径部４２には、円周方向に沿って互いに離間して配置された複数の把持部用溝４４が形成されている。この把持部用溝４４は、後述する開栓用把持部６０が射出成形により形成される際に、射出樹脂の流路としての役割を果たす。図３に示すように、本実施の形態では、大径部４２には６つの把持部用溝４４が形成されている。各々の把持部用溝４４は、平面視において約６０°ずつ等配となるように配置されている。また、図１及び図２に示すように、把持部用溝４４は、上下方向に沿って延びている。上述したように、これらの複数の把持部用溝４４の上端は、それぞれ対応する、小径部４１に設けられた補助部用溝４３に接続されている。また、複数の把持部用溝４４の下端は、それぞれ大径部４２で終端している。なお、把持部用溝４４が大径部４２の高さ方向の全域に亘って延びていても良い。
【００２６】
また、図４Ａ及び図４Ｂに示すように、筒状体４０の大径部４２の内面に、図示しない容器の口部のねじ部に螺合するねじ部４５が形成されている。なお、キャップ本体２０は、打栓式であっても良い。
【００２７】
また、大径部４２の下端に、樹脂受け部４６が設けられている。この樹脂受け部４６は、平面視において多角形状を有しており、開栓用把持部６０の後述する平面視形状と略同一の平面視形状を有している。大径部４２の下端に開栓用把持部６０と略同一の平面視形状を有する樹脂受け部４６を設けることにより、本体部５０と開栓用把持部６０との一体性を高めることができ、キャップ本体２０の意匠性を向上させることができる。
【００２８】
次に、キャップ本体２０の開栓用把持部６０について説明する。
【００２９】
図１乃至図３に示すように、開栓用把持部６０は、筒状体４０の大径部４２の外面４２ａに設けられている。この場合、上述したように、大径部４２は、筒状体４０の略下半分の領域に配置されている。このため、大径部４２に設けられた開栓用把持部６０は、キャップ本体２０の略下半分の領域に配置されている。このように、開栓用把持部６０が大径部４２に設けられることにより、使用者が開栓用把持部６０を把持しやすくすることができ、キャップ１０のグリップ性を向上させることができる。この開栓用把持部６０は、図３に示すように、平面視において多角形状を有している。多角形は、角部６０ａを含み、角部６０ａは、多角形（この場合、正六角形）の各角に配置されている。ここで、「多角形状」とは、多角形の角部が丸められていたり、多角形の各辺に凹凸（例えば、後述するローレットＫ２）が設けられていたりする形状を含む概念である。本実施の形態では、図３に示すように、多角形の角部６０ａが丸められ、角部６０ａの円周方向両側に半径方向内方に窪む凹部６０ｂが設けられている。開栓用把持部６０が平面視において多角形状を有することにより、使用者がキャップ１０を開栓する際に、開栓用把持部６０に対する使用者の指の指掛かり性を向上させることができ、キャップ１０のグリップ性を向上させることができる。すなわち、使用者がキャップ１０を開栓する際に、まず、使用者の指が、開栓用把持部６０のうち、平面視において多角形状の角部６０ａと角部６０ａとの間の辺を構成する平面に当接する。そして、使用者がキャップ１０を開栓方向に回転させると、使用者の指が、開栓用把持部６０の角部６０ａに引っ掛かる。このように、使用者の指が開栓用把持部６０の角部６０ａに引っ掛かることにより、開栓用把持部６０に対する使用者の指の指掛かり性を向上させることができ、キャップ１０のグリップ性を向上させることができる。このため、キャップ１０に対して、開栓方向の力を作用させやすくなり、容易にキャップ１０を開栓することができる。本実施の形態では、開栓用把持部６０は、平面視において六角形状を有している。なお、開栓用把持部６０は、平面視において多角形状を有していれば良く、例えば五角形状や八角形状であっても良い。また、開栓用把持部６０の角部６０ａの円周方向両側に、凹部６０ｂが設けられていなくても良い。
【００３０】
また、図１乃至図３に示すように、この開栓用把持部６０は、筒状体４０の大径部４２の外面４２ａの全域を覆うように設けられている。これにより、使用者がキャップ１０を開栓する際に、使用者の指が開栓用把持部６０に確実に当接し、開栓用把持部６０に対する使用者の指の指掛かり性を更に向上させることができる。さらに、開栓用把持部６０は、使用者がキャップ１０を開栓する際に、使用者の指掛かり性を向上させるためのローレットＫ２を含んでいる。このローレットＫ２は、開栓用把持部６０のうち、平面視において多角形状の角部６０ａと角部６０ａとの間の辺を構成する平面において、大径部４２の円周方向に沿って略等間隔で形成されている。この場合、例えばローレットＫ２のピッチＰは、１．５ｍｍ程度とすることができる。また、図３に示すように、ローレットＫ２は、角部６０ａよりも高さ（径方向距離）が低くなっていても良い。また、ローレットＫ２は、大径部４２の高さ方向全域に延在していても良い。
【００３１】
また、キャップ本体２０は、本体部５０の筒状体４０の小径部４１に設けられ、円周方向に沿って互いに離間して配置された複数の把持部形成用補助部６１を更に備えている。この場合、上述したように、小径部４１は、筒状体４０の略上半分の領域に配置されている。このため、小径部４１に設けられた各々の把持部形成用補助部６１は、キャップ本体２０の略上半分の領域に配置されている。このように、小径部４１に把持部形成用補助部６１が設けられることにより、後述するように、上述した開栓用把持部６０を容易に形成することができる。また、使用者がキャップ１０を開栓する際に、把持部形成用補助部６１に使用者の指が当接し得る。これにより、キャップ１０に対する使用者の指の指掛かり性を更に向上させることもできる。また、図３に示すように、本実施の形態では、小径部４１には６つの把持部形成用補助部６１が設けられている。この把持部形成用補助部６１は、上述した補助部用溝４３に対応する位置に設けられており、各々の把持部形成用補助部６１は、平面視において約６０°ずつ等配となるように配置されている。また、図１及び図２に示すように、把持部形成用補助部６１は、上下方向に沿って延びている。これらの複数の把持部形成用補助部６１の上端は、それぞれ対応する、天板３０に設けられた放射状部６２に接続されている。また、複数の把持部形成用補助部６１の下端は、それぞれ開栓用把持部６０に接続されている。この把持部形成用補助部６１は、後述するように、開栓用把持部６０を形成する際に、補助部用溝４３を通る射出樹脂により設けられたものである。
【００３２】
また、図１乃至図３に示すように、キャップ本体２０は、本体部５０の天板３０に設けられ、天板３０の中心から放射状に延びる複数の放射状部６２を更に備えている。本実施の形態では、天板３０には６つの放射状部６２が設けられている。この放射状部６２は、上述した放射状部用溝３１に対応する位置に設けられており、各々の放射状部６２は、平面視において約６０°ずつ等配となるように配置されている。６本の放射状部６２は、天板３０の中心に位置する中央部６２ｃで互いに連結されている。また、上述したように、複数の放射状部６２は、それぞれ対応する把持部形成用補助部６１に接続されている。この放射状部６２は、後述するように、開栓用把持部６０を形成する際に、放射状部用溝３１を通る射出樹脂により設けられたものである。
【００３３】
ピルファープルーフバンド
次に、ピルファープルーフバンドについて説明する。図１、図２、図４Ａ及び図４Ｂに示すように、ピルファープルーフバンド７０は、筒状体４０の下端部に、樹脂受け部４６に結合された複数のブリッジ７１を介して連結されている。この複数のブリッジ７１のうち、少なくとも１つは、破断可能になっている。また、ピルファープルーフバンド７０は、周方向に分割された複数のリング分割体７０ａを有している。この場合、周方向で互いに隣接するリング分割体７０ａは、破断可能な連結部材７２により、互いに連結されている。
【００３４】
キャップ１０が上述したピルファープルーフバンド７０を備えていることにより、ブリッジ７１が破断されているかどうかを確認することにより、あるいは、連結部材７２が破断されているかどうかを確認することにより、キャップ１０の不正な開封が生じていたかどうかを判断することができる。
【００３５】
また、ピルファープルーフバンド７０の上端に、円周方向において、キャップ本体２０の開栓用把持部６０の多角形状の角部６０ａに重なるように位置する複数の台座７３が形成されている。これにより、キャップ１０を、後述するリテイナー８４によって後述する第２金型８０Ｂから離型させる際に、ピルファープルーフバンド７０の変形を抑制することができ、キャップ１０をスムーズに離型させることができる。
【００３６】
ところで、上述したキャップ１０のうち、キャップ本体２０の本体部５０、ピルファープルーフバンド７０、ブリッジ７１及び連結部材７２は、合成樹脂材料を射出成形することにより一体に製作することができる。この場合の材料としては、例えば、ＰＰ（ポリプロピレン）、ＰＥ（ポリエチレン）等を用いることができる。
【００３７】
また、上述した開栓用把持部６０、把持部形成用補助部６１及び放射状部６２は、エラストマー樹脂を含んでいても良い。開栓用把持部６０、把持部形成用補助部６１及び放射状部６２が、エラストマー樹脂を含んでいることにより、キャップ１０の滑り防止機能を向上させることができる。また、この場合、開栓用把持部６０、把持部形成用補助部６１及び放射状部６２は、互いに同一の材料からなっていても良い。開栓用把持部６０、把持部形成用補助部６１及び放射状部６２が、互いに同一の材料からなっていることにより、開栓用把持部６０、把持部形成用補助部６１および放射状部６２を容易に形成することができ、キャップ１０の生産性を向上させることができる。また、この場合、エラストマー樹脂としては、従来公知の熱可塑性エラストマー、例えば、スチレン系エラストマー、オレフィン系エラストマー、ウレタン系エラストマー、ポリエステル系エラストマー、ポリアミド系エラストマー等が挙げられる。また、これらの熱可塑性エラストマーの１種のみ使用しても良く、また２種以上を組み合わせて使用しても良い。
【００３８】
（金型の構成）
次に、図５Ａおよび図５Ｂにより、合成樹脂材料を射出成形してキャップ本体２０（キャップ１０）を作製する第１金型８０Ａ、および第２金型８０Ｂについて、説明する。
【００３９】
図５Ａに示すように、第１金型８０Ａは、キャップ本体２０の本体部５０を作製するための第１キャビティ付き金型８１Ａと、第１キャビティ付き金型８１Ａ内に収容される第１コア８２ａおよび第２コア８２ｂと、一対のスライドコア８３と、一対のリテイナー８４とを有している。このうち、第１キャビティ付き金型８１Ａには、本体部５０の放射状部用溝３１、補助部用溝４３及び把持部用溝４４にそれぞれ対応する凸部３１ａ、４３ａ、４４ａが形成されている。また、第１キャビティ付き金型８１Ａのうち、本体部５０の天板３０の中心に対応する位置に、射出樹脂を射出するためのゲート（注入口）８１ａが形成されている。この場合、第１キャビティ付き金型８１Ａ内に第１コア８２ａおよび第２コア８２ｂが収容された状態で、第１キャビティ付き金型８１Ａと第２コア８２ｂとの間の空間に射出樹脂（例えば、ポリプロピレン、ポリエチレン）が射出されることにより、キャップ本体２０の本体部５０が作製されるようになっている。また、一対のスライドコア８３には、ピルファープルーフバンド７０に対応する凹部８３ａが形成されている。
【００４０】
一方、図５Ｂに示すように、第２金型８０Ｂは、キャップ本体２０の開栓用把持部６０、把持部形成用補助部６１および放射状部６２を作製するための第２キャビティ付き金型８１Ｂと、第２キャビティ付き金型８１Ｂ内に収容される、上述した第１コア８２ａおよび第２コア８２ｂと、一対のスライドコア８３と、一対のリテイナー８４とを有している。
【００４１】
ここで、第２キャビティ付き金型８１Ｂと第２コア８２ｂとの間の空間は、上述した第１キャビティ付き金型８１Ａと第２コア８２ｂとの間の空間よりも広くなっている。具体的には、第１金型８０Ａによって作製され、第２コア８２ｂに取り付けられた本体部５０と、第２キャビティ付き金型８１Ｂとの間に空間が形成されるように構成されている。とりわけ、第２コア８２ｂに取り付けられた本体部５０のうち、放射状部用溝３１、補助部用溝４３及び把持部用溝４４と、第２キャビティ付き金型８１Ｂとの間に隙間が形成されるようになっている。また、第２コア８２ｂに取り付けられた本体部５０のうち、開栓用把持部６０が設けられる部分と、第２キャビティ付き金型８１Ｂとの間に空間が形成されるようになっている。このため、第１金型８０Ａによって作製された本体部５０の外周面上に、開栓用把持部６０、把持部形成用補助部６１および放射状部６２を形成することができるように構成されている。また、第２キャビティ付き金型８１Ｂのうち、本体部５０の天板３０の中心に対応する位置に、射出樹脂を射出するためのゲート（注入口）８１ｂが形成されている。この場合、第２キャビティ付き金型８１Ｂ内に、作製された本体部５０および第１コア８２ａおよび第２コア８２ｂが収容された状態で、作製された本体部５０と、第２キャビティ付き金型８１Ｂとの間の空間に射出樹脂（例えば、エラストマー樹脂）が射出されることにより、キャップ本体２０の開栓用把持部６０、把持部形成用補助部６１および放射状部６２が形成されるようになっている。なお、図示はしないが、第２キャビティ付き金型８１Ｂには、ローレットＫ２に対応する凹部が形成されている。
【００４２】
次に、本実施の形態による作用について説明する。ここでは、キャップ１０の製造方法について、図６Ａ乃至図７Ｃにより説明する。
【００４３】
（キャップの製造方法）
まず、第１キャビティ付き金型８１Ａと、第１コア８２ａと、第２コア８２ｂと、一対のスライドコア８３と、一対のリテイナー８４とを有する第１金型８０Ａを準備する。
【００４４】
次に、図６Ａ（ａ）に示すように、第１キャビティ付き金型８１Ａ内に第１コア８２ａおよび第２コア８２ｂを収容するとともに、一対のスライドコア８３と、一対のリテイナー８４とを装着する。このようにして、図６Ａ（ｂ）に示すように、第１キャビティ付き金型８１Ａと、第１コア８２ａと、第２コア８２ｂと、一対のスライドコア８３と、一対のリテイナー８４とが型締めされる。
【００４５】
次いで、図６Ｂ（ａ）に示すように、第１金型８０Ａ内に、射出樹脂を射出する。この際、第１キャビティ付き金型８１Ａと第２コア８２ｂとの間の空間に、ゲート８１ａから射出樹脂を射出する。射出樹脂としては、例えば、ポリプロピレン、ポリエチレンを用いることができる。射出された射出樹脂は、第１キャビティ付き金型８１Ａおよび一対のスライドコア８３と、第２コア８２ｂとの間に侵入し、この射出樹脂によりキャップ本体２０の本体部５０およびピルファープルーフバンド７０が成形される。この際、第１キャビティ付き金型８１Ａには、本体部５０の放射状部用溝３１、補助部用溝４３及び把持部用溝４４にそれぞれ対応する凸部３１ａ、４３ａ、４４ａが形成されている（図５Ａ参照）。これにより、本体部５０に、放射状部用溝３１、補助部用溝４３及び把持部用溝４４がそれぞれ形成される。
【００４６】
そして、図６Ｂ（ｂ）に示すように、第１金型８０Ａのうち、第１キャビティ付き金型８１Ａが、第２コア８２ｂに取り付けられた本体部５０から取り外される。
【００４７】
次に、第２金型８０Ｂの第２キャビティ付き金型８１Ｂを準備する。次いで、図７Ａ（ａ）に示すように、第２キャビティ付き金型８１Ｂを、作製された本体部５０に装着する。このようにして、図７Ａ（ｂ）に示すように、第２キャビティ付き金型８１Ｂと、第１コア８２ａと、第２コア８２ｂと、一対のスライドコア８３と、一対のリテイナー８４とが型締めされる。
【００４８】
次いで、図７Ｂ（ａ）に示すように、第２金型８０Ｂ内に、射出樹脂を射出する。この際、第２キャビティ付き金型８１Ｂと本体部５０との間の空間に、ゲート８１ｂから射出樹脂を射出する。射出樹脂としては、例えば、エラストマー樹脂を用いることができる。射出された射出樹脂は、第２キャビティ付き金型８１Ｂと本体部５０との間に侵入する。ここで、第２キャビティ付き金型８１Ｂと第２コア８２ｂとの間の空間は、第１キャビティ付き金型８１Ａと第２コア８２ｂとの間の空間よりも広くなっている。すなわち、第２コア８２ｂに取り付けられた本体部５０と、第２キャビティ付き金型８１Ｂとの間に空間が形成されるように構成されている。とりわけ、第２コア８２ｂに取り付けられた本体部５０のうち、放射状部用溝３１、補助部用溝４３及び把持部用溝４４と、第２キャビティ付き金型８１Ｂとの間に隙間が形成されている。また、第２コア８２ｂに取り付けられた本体部５０のうち、開栓用把持部６０が設けられる部分と、第２キャビティ付き金型８１Ｂとの間に空間が形成されている。このため、射出された射出樹脂は、天板３０の中心から、放射状部用溝３１を通って天板３０上を放射状に広がり、補助部用溝４３に到達する。そして、補助部用溝４３に到達した射出樹脂は、把持部用溝４４に到達する。その後、把持部用溝４４に到達した射出樹脂は、本体部５０の筒状体４０の大径部４２と、第２キャビティ付き金型８１Ｂとの間に広がり、開栓用把持部６０、把持部形成用補助部６１および放射状部６２が形成される。
【００４９】
このようにして、第２金型８０Ｂ内でキャップ本体２０（キャップ１０）が得られる。次に、図７Ｂ（ｂ）に示すように、第２金型８０Ｂのうち、第２キャビティ付き金型８１Ｂが、第２コア８２ｂに取り付けられたキャップ本体２０（キャップ１０）から取り外される。また、この際、第１コア８２ａが、第２コア８２ｂから離れるように移動する。
【００５０】
次に、図７Ｃ（ａ）に示すように、第１コア８２ａおよび第２コア８２ｂが、キャップ本体２０（キャップ１０）から取り外される。
【００５１】
次いで、一対のスライドコア８３を互いに離間する方向へスライドさせた後に、一対のリテイナー８４をキャップ本体２０（キャップ１０）に対して押し付けることにより、キャップ本体２０（キャップ１０）が取り出される。このようにして、本体部５０と、本体部５０の筒状体４０の外面４２ａに設けられた開栓用把持部６０とを備えるキャップ本体２０が得られる。
【００５２】
ここで、筒状体４０の大径部４２の外面４２ａに設けられた開栓用把持部６０は、平面視において多角形状を有している（図３参照）。これにより、使用者がキャップ１０を開栓する際に、開栓用把持部６０に対する使用者の指の指掛かり性を向上させることができる。すなわち、使用者がキャップ１０を開栓する際に、まず、使用者の指が、開栓用把持部６０のうち、平面視において多角形状の角部と角部との間の辺を構成する平面に当接する。そして、使用者がキャップ１０を開栓方向に回転させると、使用者の指が、開栓用把持部６０の角部６０ａに引っ掛かる。このように、使用者の指が開栓用把持部６０の角部６０ａに引っ掛かることにより、開栓用把持部６０に対する使用者の指の指掛かり性を向上させることができ、キャップ１０のグリップ性を向上させることができる。このため、キャップ１０に対して、開栓方向の力を作用させやすくなり、容易にキャップ１０を開栓することができる。
【００５３】
以上のように本実施の形態によれば、開栓用把持部６０が、平面視において多角形状を有している。これにより、使用者がキャップ１０を開栓する際に、使用者の指と、開栓用把持部６０との間の指掛かり性を向上させることができる。このため、キャップ１０に対して、開栓方向の力を作用させやすくなり、容易にキャップ１０を開栓することができる。
【００５４】
また、本実施の形態によれば、開栓用把持部６０が、エラストマー樹脂を含んでいる。これにより、キャップ１０の滑り防止機能を向上させることができる。このため、更に容易にキャップ１０を開栓することができる
【００５５】
また、本実施の形態によれば、筒状体４０は、天板３０の下方に配置された小径部４１と、小径部４１の下方に配置された大径部４２とを有し、開栓用把持部６０は、大径部４２に設けられている。このように、開栓用把持部６０が大径部４２に設けられることにより、使用者が開栓用把持部６０を把持しやすくすることができる。このため、キャップ１０のグリップ性を更に向上させることができる。
【００５６】
また、本実施の形態によれば、小径部４１には、円周方向に沿って互いに離間して配置された複数の把持部形成用補助部６１が設けられ、複数の把持部形成用補助部６１は、それぞれ開栓用把持部６０に接続されている。これにより、開栓用把持部６０を形成する際に、補助部用溝４３を通過した射出樹脂が、把持部用溝４４に供給され、開栓用把持部６０を容易に形成することができる。また、使用者がキャップ１０を開栓する際に、把持部形成用補助部６１に使用者の指が当接し得る。これにより、キャップ１０に対する使用者の指の指掛かり性を更に向上させることもできる。このため、キャップ１０の滑り止め機能を向上させることができ、使用者がキャップ１０の開栓作業を更に容易に行うことができる。
【００５７】
また、本実施の形態によれば、把持部形成用補助部６１は、エラストマー樹脂を含んでいる。これにより、キャップ１０の滑り防止機能を向上させることができ、使用者が把持部形成用補助部６１を把持することにより、キャップ１０を更に握りやすくすることができる。
【００５８】
また、本実施の形態によれば、天板３０には、天板３０の中心から放射状に延びる複数の放射状部６２が設けられ、複数の放射状部６２は、それぞれ対応する把持部形成用補助部６１に接続されている。これにより、開栓用把持部６０を形成する際に、放射状部用溝３１を通過した射出樹脂が、補助部用溝４３に供給され、開栓用把持部６０を形成する際に、把持部形成用補助部６１を容易に形成することができる。
【００５９】
また、本実施の形態によれば、開栓用把持部６０、把持部形成用補助部６１および放射状部６２は、互いに同一の材料からなっている。これにより、開栓用把持部６０、把持部形成用補助部６１および放射状部６２を容易に形成することができ、キャップ１０の生産性を向上させることができる。
【００６０】
なお、上述した本実施の形態において、ピルファープルーフバンド７０が、複数のブリッジ７１を介して連結されている例について説明したが、これに限られない。例えば、図示はしないが、ピルファープルーフバンド７０が、単一のブリッジ７１を介して筒状体４０に連結されていても良い。
【００６１】
また、上述した本実施の形態において、ピルファープルーフバンド７０が、周方向に分割された複数のリング分割体７０ａを有している例について説明したが、これに限られない。例えば、図示はしないが、単一の部材により構成されていても良い。
【００６２】
上記実施の形態および変形例に開示されている複数の構成要素を必要に応じて適宜組合せることも可能である。あるいは、上記実施の形態および変形例に示される全構成要素から幾つかの構成要素を削除してもよい。
【符号の説明】
【００６３】
１０      キャップ
２０      キャップ本体
３０      天板
３１      放射状部用溝
４０      筒状体
４１      小径部
４２      大径部
４３      補助部用溝
４４      把持部用溝
５０      本体部
６０      開栓用把持部
６１      把持部形成用補助部
６２      放射状部
７０      ピルファープルーフバンド
Ｋ１      ローレット
【図１】
2020079105.tif 000003
【図２】
2020079105.tif 000004
【図３】
2020079105.tif 000005
【図４Ａ】
2020079105.tif 000006
【図４Ｂ】
2020079105.tif 000007
【図５Ａ】
2020079105.tif 000008
【図５Ｂ】
2020079105.tif 000009
【図６Ａ】
2020079105.tif 000010
【図６Ｂ】
2020079105.tif 000011
【図７Ａ】
2020079105.tif 000012
【図７Ｂ】
2020079105.tif 000013
【図７Ｃ】
2020079105.tif 000014